(57)【要約】【課題】模様金型の取り出しが容易で、故障の恐れもなく、すっきりとした外観を呈する紙型抜き具を提供すること。【解決手段】対称形とした左右の半体からなり後部に幅狭の把持部を形成したケース及び該ケース内に装入されバネ付勢して組み込んだハンドルからなる本体と、本体内に装填される模様金型で構成する。ケースの内側に、模様金型が着脱するマグネット片を有し且つコイルバネを装付した出没子を備えてなる取付体を固設する。【選択図】          図２
0003122603.tif 000002
【実用新案登録請求の範囲】
【請求項１】
対称形とした左右の半体からなり後部に幅狭の把持部を形成したケース及び該ケース内に装入されバネ付勢して組み込んだハンドルからなる本体と、本体内に装填される模様金型で構成した紙型抜き具であって、前記ケースの内側に、模様金型が着脱するマグネット片を有し且つコイルバネを装付した出没子を備えてなる取付体を固設したことを特徴とする紙型抜き具。
【請求項２】
模様金型を差し込むと、模様金型の後端金属部がマグネット片に吸着して出没子を取付体内部に押し込み、装填後の模様金型前面を押圧すると、バネ復帰により出没子とともに取付体から突出したマグネット片により模様金型がケース前面に押し出されることを特徴とする請求項１に記載の紙型抜き具。
【考案の詳細な説明】
【技術分野】
【０００１】  本考案は、紙材を打ち抜いて所定の模様片を得る紙型抜き具に関する。
【背景技術】
【０００２】  紙材から小形の模様片を型抜きする技術は周知であり、一般にはハンディな大きさで片手で把持し、前面より挿入した紙材をハンドル操作で所定の模様片に型抜きする構成を採っている（例えば特許文献１参照）。
【特許文献１】意匠登録第１０８０５２５号（意匠に係る物品の説明及び参考図１）
【考案の開示】
【考案が解決しようとする課題】
【０００３】  従来のものは図５に示すように、ケース５０とハンドル５１、及びケース５０の前部底面に取り付けたレバー５２からなる本体と、先端が開口されたケース５０内の空所に嵌合される、模様の金型５３で構成されている。そして金型５３は、ケース５０の前方より空所内に押し込むことにより取り付けられ、取り外す場合はまずレバー５２の先端をつかんで下方に開く必要がある。こうすることでケース５０の内面に位置するレバー５２の根元にある軸部５２ａの上部に位置する突片５２ｂが梃子の原理により金型５３の後面を押圧して金型５３をケース５０より押し出し、その結果金型５３の一部が前方に飛び出すのでその突出部をつかんで引き出すことができるというものである。このように従来品は金型５３を取り付ける時は押し込むだけの操作ですむが、取り出す際には一旦レバー５２の先端に指をあてがってケース下方に開く必要があり、したがってその分取り出し操作に手間がかゝるという問題と、開閉操作を繰り返すことによりレバー５２の動きに支障を生じたり、開き時に力を入れ過ぎるとレバー５２が破損に至る等の恐れもあった。【０００４】  本考案はこのような従来の問題点に鑑みてなされたもので、模様金型の取り付けは当然として、金型の取り出しを頗る安易に行うことができ、操作を簡略化したことで本体全体に余分な負荷がかゝらず、したがって不具合の発生を引き起こすおそれがなく安心して取り扱うことのできる紙型抜き具を提供しようとするものである。
【課題を解決するための手段】
【０００５】  すなわち本考案は、対称形とした左右の半体からなり後部に幅狭の把持部を形成したケース及び該ケース内に装入され尾部をケースの把持部にバネ付勢して組み込んだハンドルからなる本体と、本体内に装填される模様金型で構成した紙型抜き具であって、前記ケースの内側に、模様金型が着脱するマグネット片を有し且つコイルバネを装付した出没子を備えてなる取付体を固設したことを技術手段とする。【０００６】  模様金型を差し込むと、模様金型の後端金属部がマグネット片に吸着して出没子を取付体内部に押し込み、装填後の模様金型前面を押圧すると、バネ復帰により出没子とともに取付体から突出したマグネット片により模様金型がケース前面に押し出されることを特徴とする。
【考案の効果】
【０００７】  本考案では、模様金型がケースの開口部より差し込まれるだけでなく、差し込まれた状態の模様金型が、その前面を再度押圧すればケースより自動的に突出するので取り出しが極めて簡単であり、作業能率がアップする。【０００８】  従来と異なってケースの底面にレバーを設ける必要がないためすっきりとした外観を呈し、またレバーが存在することによる故障や破損のおそれもないので安心して取り扱いができ、耐久性があって長期使用ができる。
【考案を実施するための最良の形態】
【０００９】  図面を参照して本考案を説明すると、図１に示したように、金魚形をした合成樹脂製の本体はケース１０とハンドル２０で構成されている。ケース１０は対称形とした左右の半体１０ａからなり、後部が幅狭の把持部１１となっている。そしてハンドル２０はケース１０内に装入され、尾部２１がケース１０の把持部１１に組み込まれて下部が突出し、把持部１１と尾部２１は片手で把持される。【００１０】  図２はケース１０の内部機構を示したもので、ハンドル２０の前部がケース１０に枢支Ｓされて該枢支Ｓ部を支点に梃子状の動きをする。ハンドル２０には針金状のバネ２２の一端部が固定されて他端部がケース１０の把持部１１内面を圧接し、それゆえハンドル２０はケース１０にバネ付勢された状態で取り付けられている。【００１１】  ハンドル２０の先端には嘴片２３が形成され、ケース１０の把持部１１とともにハンドル２０の尾部２１をつかんで握り締めると、仮想線で示したように嘴片２３が枢支Ｓ部を支点に一定範囲内を下向きに回動する。【００１２】  ３０はケース１０内に装填される模様金型で、ケース１０の前面開口部１２から水平状に差し込まれ、取り付けが終わると円弧状のケース１０の外面と面一状となる。模様金型３０自体は周知の形状と大差はないが、後端には金属部３１がやゝ内側に位置する状態に埋設されている。しかして模様金型３０には、紙材４０が挿入されるスリット３２がありスリット３２の上下には、各種模様形状をしたポンチ３３とダイ３４が設けられている。（図３参照）。このポンチ３３が、ハンドル２０の前記嘴片２３に上面を押されるとダイ３４と噛合して紙材４０をくりぬき、くりぬかれた模様片４１がケース１０の下口１３から下方に落下する仕組みである。【００１３】  ケース１０の内側には、模様金型３０が当接する位置にマグネット片１５を有する出没子１６を備えた取付体１４が固設されている。この取付体１４は片側半体１０ａの内壁に基部１４ａをねじ止めしてあるが、出没子１６とマグネット片１５はケース１０の中心部に位置し、模様金型３０の金属部３１はマグネット片１５に正しく当接する。マグネット片１５と出没子１６は、取付体１４内に装付されたコイルバネ１７によって付勢され、模様金型３０が差し込まれるとマグネット片１５は出没子１６とともに取付体１４内に没入して（但し先端部は没入しない）コイルバネ１７は収縮する。【００１４】  模様金型３０の差し込み極限位置にあってはコイルバネ１７も完全収縮状態となるが、模様金型３０から手を離すとコイルバネ１７は若干伸長してその分模様金型３０はやゝ戻って表面がケース１０の外面と合致する仕組みとなっている。すなわち模様金型３０が正しく取り付けられた状態にあってはコイルバネ１７に少しく余裕が生じ、したがってこの状態から模様金型３０の表面を再び押すとコイルバネ１７が完全収縮状態となり、更に手を離すと図４のようにコイルバネ１７の復帰作用が強く働いてマグネット片１５により模様金型３０はケース１０の外側に半分ほど押し出されるという構成である。【００１５】  模様片４１の模様の種類は多様であり、それゆえ模様が異なる毎に金型３０を取り替える必要があるが、本考案によると模様金型３０の取���出しは、装填された状態のものゝ表面を単に押圧するだけでよいため面倒な手間がかからない。
【図面の簡単な説明】
【００１６】
【図１】本考案を示すもので（ａ）は正面図、（ｂ）は平面図、（ｃ）は正面図のＡ−Ａ線端面図である。
【図２】ケースを切断して内部機構を示す説明図である。
【図３】型抜き個所を示す断面図である。
【図４】装填された模様金型を取り出す状態を示す説明図である。
【図５】従来例を切断して示す説明図である。
【符号の説明】
【００１７】  １０    ケース
１０ａ  半体
１１    把持部
１４    取付体
１５    出没子
１６    マグネット片
１７    コイルバネ
２０    ハンドル
３０    模様金型
３１    金属部
【図１】
0003122603.tif 000003
【図２】
0003122603.tif 000004
【図３】
0003122603.tif 000005
【図４】
0003122603.tif 000006
【図５】
0003122603.tif 000007